(57)【要約】【課題】本発明は、携帯電話機等の機器の小型ＩＣカード装着部に小型ＩＣカードを装着した場合でも、板状枠体から小型ＩＣカードを取り外すときに生じた残存突起の悪影響を受けることなく正しい位置に小型ＩＣカードを装着することができ、外部接続端子同士が間違いなく接続状態となるようにした小型ＩＣカード装着部を有する機器を提供する。【解決手段】切り取り用の接続部により切り取り可能に板状枠体に設けられた小型ＩＣカードを、前記板状枠体から切り取って装着するための小型ＩＣカード装着部を有する機器であって、前記小型ＩＣカードを装着する際において、前記小型ＩＣカード装着部内の前記小型ＩＣカードの接続部の残存突起と対面する箇所に、前記接続部の残存突起と前記小型ＩＣカード装着部内面との接触を防止する接触防止用の凹部または貫通穴が形成されていることを特徴とする。【選択図】　　　　図１
2004013469.tif 000002
【特許請求の範囲】
【請求項１】
切り取り用の接続部により切り取り可能に板状枠体に設けられた小型ＩＣカードを、前記板状枠体から切り取って装着するための小型ＩＣカード装着部を有する機器であって、
前記小型ＩＣカードを装着する際において、前記小型ＩＣカード装着部内の前記小型ＩＣカードの接続部の残存突起と対面する箇所に、前記接続部の残存突起と前記小型ＩＣカード装着部内面との接触を防止する接触防止用の凹部または貫通穴が形成されていることを特徴とする小型ＩＣカード装着部を有する機器。
【請求項２】
前記小型ＩＣカード装着部が、前記小型ＩＣカードの対向する２側辺をスライドさせるスライド部と、前記スライド部でスライドさせた前記小型ＩＣカードの前方に設けられた位置決め用突き当て部とを有し、前記接触防止用の凹部または貫通穴が、前記位置決め用突き当て部に形成されていることを特徴とする請求項１記載の小型ＩＣカード装着部を有する機器。
【請求項３】
前記小型ＩＣカード装着部が、前記小型ＩＣカードの対向する２側辺をスライドさせるスライド部と、前記スライド部でスライドさせた前記小型ＩＣカードの前方に設けられた位置決め用突き当て部とを有し、前記接触防止用の凹部または貫通穴が前記スライド部の側面に形成されていることを特徴とする請求項１記載の小型ＩＣカード装着部を有する機器。
【発明の詳細な説明】
【０００１】
【発明の属する技術分野】
本発明は、切り取り用の接続部により切り取り可能に板状枠体の一部に設けられた小型ＩＣカードを、前記板状枠体から切り取って装着するための小型ＩＣカード装着部を有する機器に関する。
【０００２】
【従来の技術】
従来、例えば、携帯電話機の加入者識別票ＳＩＭ（Ｓｕｂｓｃｒｉｂｅｒ　Ｉｄｅｎｔｉｔｙ　Ｍｏｄｕｌｅ）やＵＩＭ（Ｕｓｅｒ　Ｉｄｅｎｔｉｔｙ　Ｍｏｄｕｌｅ）等に使用するプラグインサイズの小型ＩＣカードは、縦寸法１５ｍｍ、横寸法２５ｍｍ程度の小型の基材にＣＰＵやメモリ及び電極などを一体化させた構成を有するＩＣモジュールを搭載したものが使用されている。
【０００３】
このプラグインサイズの小型ＩＣカードは、通常使用されている縦寸法５５ｍｍ、横寸法８７ｍｍ程度のフルサイズのＩＣカードに比べカード基材の寸法を小さくし、携帯電話機等に着脱自在に装着してＳＩＭやＵＩＭとして使用されている。
【０００４】
これらの小型ＩＣカードは、例えば図２に示すように、カード状の板状枠体の内側に切り取り可能に備えられる。
この小型ＩＣカードの外周には、板状枠体と間にスリット部と、このスリット部を介して小型ＩＣカードと板状枠体の所定部分とを接続する接続部であるブリッジとが設けられ、ブリッジを切断することで板状枠体から小型ＩＣカードを取り外すように構成され、板状枠体から取り外した小型ＩＣカードを携帯電話機などの機器に備えられている小型ＩＣカード装着部に装着させて、外部接続端子同士による接続を行なうようにしてある。
【０００５】
しかしながら、ブリッジを切断することで板状枠体から取り外した小型ＩＣカードには、切断したブリッジの一部分が所謂バリと呼ばれる残存突起として小型ＩＣカードの側面に残る場合がある。
そして、特にこの残存突起が大きい場合には、小型ＩＣカードを携帯電話機などの機器に備えられている小型ＩＣカード装着部に装着させた場合に、残存突起の影響で正確な位置に装着できず、外部接続端子同士の接続にズレが生じて接続不良を起こす危険性があり問題である。
【０００６】
【発明が解決しようとする課題】
本発明は、携帯電話機等の機器の小型ＩＣカード装着部に小型ＩＣカードを装着した場合でも、板状枠体から小型ＩＣカードを取り外すときに生じた残存突起の悪影響を受けることなく正しい位置に小型ＩＣカードを装着することができ、外部接続端子同士が間違いなく接続状態となるようにした小型ＩＣカード装着部を有する機器を提供する。
【０００７】
【課題を解決するための手段】
本発明の小型ＩＣカード装着部を有する機器は、切り取り用の接続部により切り取り可能に板状枠体に設けられた小型ＩＣカードを、前記板状枠体から切り取って装着するための小型ＩＣカード装着部を有する機器であって、
前記小型ＩＣカードを装着する際において、前記小型ＩＣカード装着部内の前記小型ＩＣカードの接続部の残存突起と対面する箇所に、前記接続部の残存突起と前記小型ＩＣカード装着部内面との接触を防止する接触防止用の凹部または貫通穴が形成されていることを特徴とする。
【０００８】
また、本発明の小型ＩＣカード装着部を有する機器は、前記小型ＩＣカード装着部が、前記小型ＩＣカードの対向する２側辺をスライドさせるスライド部と、前記スライド部でスライドさせた前記小型ＩＣカードの前方に設けられた位置決め用突き当て部とを有し、前記接触防止用の凹部または貫通穴が、前記位置決め用突き当て部に形成されていることを特徴とする。
【０００９】
更に、本発明の小型ＩＣカード装着部を有する機器は、前記小型ＩＣカード装着部が、前記小型ＩＣカードの対向する２側辺をスライドさせるスライド部と、前記スライド部でスライドさせた前記小型ＩＣカードの前方に設けられた位置決め用突き当て部とを有し、前記接触防止用の凹部または貫通穴が前記スライド部の側面に形成されていることを特徴とする。
【００１０】
【発明の実施の形態】
以下、本発明の小型ＩＣカード装着部を有する機器の実施形態を図面に基づいて詳細に説明する。
図１は、本発明の第１実施形態に係る小型ＩＣカード装着部を有する機器の斜視図、図２は、本発明の第１実施形態に係る小型ＩＣカード装着部を有する機器に使用する小型ＩＣカードを備えたカードの平面図、図３は、図２のカードから取り外した小型ＩＣカードの平面図、図４は、本発明の第１実施形態に係る小型ＩＣカード装着部を有する機器の小型ＩＣカード装着部に小型ＩＣカードを装着する状態を説明する図、図５は、本発明の第１実施形態に係る小型ＩＣカード装着部を有する機器の小型ＩＣカード装着部に小型ＩＣカードを装着した状態を説明する図、図６は、本発明の第２実施形態に係る小型ＩＣカード装着部を有する機器の小型ＩＣカード装着部を説明する図、図７は、本発明の第２実施形態に係る小型ＩＣカード装着部を有する機器の小型ＩＣカード装着部に小型ＩＣカードを装着した状態を説明する図、図８は、本発明の第３実施形態に係る小型ＩＣカード装着部を有する機器に使用する小型ＩＣカードを備えたカードの平面図、図９は、図８のカードから取り外した小型ＩＣカードの平面図、図１０は、本発明の第３実施形態に係る小型ＩＣカード装着部を有する機器の小型ＩＣカード装着部に小型ＩＣカードを装着する状態を説明する図、図１１は、本発明の第３実施形態に係る小型ＩＣカード装着部を有する機器の小型ＩＣカード装着部に小型ＩＣカードを装着した状態を説明する図、図１２は、本発明の第３実施形態に係る小型ＩＣカード装着部を有する機器の小型ＩＣカード装着部に小型ＩＣカードを装着する状態を説明する側面図である。
【００１１】
まず、本発明の第１実施形態に係る小型ＩＣカード装着部を有する機器を、図１乃至図５に基づいて説明する。
第１実施形態に係る小型ＩＣカード装着部を有する機器を、図１に示す携帯電話機１に基づいて説明する。
【００１２】
携帯電話機１の一部には、ＳＩＭやＵＩＭ等の小型ＩＣカード２Ａを装着するための小型ＩＣカード装着部３Ａが設けられている。
この小型ＩＣカード装着部３Ａには、小型ＩＣカード装着部３Ａに小型ＩＣカード２Ａを装着する際に、小型ＩＣカードの対向する２側辺をスライドさせるスライド部４と、このスライド部４でスライドさせた小型ＩＣカード２Ａを突き当てることで、所定の位置に小型ＩＣカード２Ａをセットするための位置決め用突き当て部５が備えられている。
【００１３】
そして、両側のスライド部４には、小型ＩＣカード２Ａをセットしたり、取り外すためにスライド部４で移動させた際に、スライド部４から小型ＩＣカード２Ａが外れないように小型ＩＣカード２Ａの両端付近を押さえるガイド部６が設けられている。
そして、小型ＩＣカード２Ａは、スライド部４の各々の側面部４ａ，４ｂに沿って移動させて、装着または取り外しが行なえるようにしてある。
また、携帯電話機１の小型ＩＣカード装着部３Ａには、この装着部に正しくセットされた場合に、小型ＩＣカード２Ａの外部接続端子部１５と接触させて電気的な接続を可能とするための外部接続端子部７が設けられている。
【００１４】
更に、携帯電話機１の小型ＩＣカード装着部３Ａには、小型ＩＣカード２Ａをスライド部４で移動させてセット状態とする場合に、板状枠体１１から小型ＩＣカード２Ａを取り外す際に生じた、ブリッジからなる接続部の残存突起と対面する位置決め用突き当て部５の所定箇所に、その接続部の残存突起と小型ＩＣカード装着部３Ａの内面とが接触しないように接触防止用の貫通穴８が形成されている。
この貫通穴８は、小型ＩＣカード２Ａの残存突起の大きさよりも大きな寸法を有し、喩え小型ＩＣカード２Ａに接続部から切り取った際に発生した残存突起がある場合でも、残存突起の部分が貫通穴８の中に嵌まり込むことで、小型ＩＣカード装着部３Ａに小型ＩＣカード２Ａが正しくセットされるようにしてある。
【００１５】
第１実施形態に係る小型ＩＣカード装着部を有する機器１に適応する小型ＩＣカード２Ａは、図２に示すように、フルサイズを有するＩＣカード１０に取り外し可能に設けられている。
このＩＣカード１０は、このカード基材のうち外側の枠体である板状枠体１１と、この板状枠体１１の内部に設けられ必要に応じて、外部接続端子部１５を有するＩＣモジュールを備えた小型ＩＣカード２Ａが板状枠体１１から分離可能に形成されて構成され、小型ＩＣカード２Ａの左側辺と傾斜状切り欠き辺の所定箇所とに、スリット部１２を介して板状枠体１１と接続状態となるブリッジ１３，１４からなる接続部がそれぞれ備えられている
【００１６】
そして、このＩＣカード１０の板状枠体１１から小型ＩＣカード２Ａを取り外す場合には、接続部であるブリッジ１３，１４を切断することで小型ＩＣカード２Ａだけを取り出すことができるが、取り出した小型ＩＣカード２Ａには、図３に示すように、ブリッジ１３，１４を切断した後に生じた所謂バリである残存突起１３ａ，１４ａが小型ＩＣカード２Ａの側面に残る場合がある。
【００１７】
このように側面の一部に残存突起１３ａ，１４ａを有する小型ＩＣカード２Ａを、第１実施形態に係る小型ＩＣカード装着部を有する機器１の小型ＩＣカード装着部３Ａ内に挿入してセットする場合には、図４に示すように、小型ＩＣカード２Ａの外部接続端子部１５を有する面を小型ＩＣカード装着部３Ａの外部接続端子部７と対面する状態として、小型ＩＣカード装着部３Ａ内に挿入して小型ＩＣカード２Ａを移動させることで、図５に示すように、小型ＩＣカード２Ａの先端部に形成されている残存突起１３ａが小型ＩＣカード装着部３Ａの貫通穴８の中に嵌まり込むことで、たとえ残存突起１３ａがあったとしても、この影響を受けることなく正しい位置に小型ＩＣカードをセットすることができる。
【００１８】
次に、本発明の第２実施形態に係る小型ＩＣカード装着部を有する機器を図６及び図７に基づいて説明する。
第２実施形態に係る小型ＩＣカード装着部を有する機器における小型ＩＣカード装着部３Ｂでは、小型ＩＣカード装着部３Ｂにセットする小型ＩＣカード３の残存突起１３ａと対面する箇所に、その残存突起１３ａと前記小型ＩＣカード装着部３Ｂ内面との接触を防止する接触防止用の凹部１６が形成されているものである。
【００１９】
この接触防止用の凹部１６は、小型ＩＣカード３の残存突起１３ａのサイズよりも大きなサイズを有していて、小型ＩＣカード３を小型ＩＣカード装着部３Ｂ内に挿入させた場合でも、残存突起１３ａが位置決め用突き当て部５に接触しないように形成されていて、正しい位置に小型ＩＣカード３のセットを行なえるようにしてある。
【００２０】
次に、本発明の第３実施形態に係る小型ＩＣカード装着部を有する機器３Ｃを図８乃至図１２に基づいて説明する。
本発明の第３実施形態に係る小型ＩＣカード装着部を有する機器に装着する小型ＩＣカード２Ｂは、図８に示すようなフルサイズのＩＣカード２０に取り外し可能に設けられている。
【００２１】
このＩＣカード２Ｂは、このカード基材のうち外側の枠体である板状枠体１１と、この板状枠体１１の内部に設けられて必要に応じて、板状枠体１１から分離可能に形成した外部接続端子部１５を有するＩＣモジュールを備えた小型ＩＣカード２Ｂとにより構成され、小型ＩＣカード２Ｂの上側辺と傾斜状切り欠き辺の所定箇所とに、スリット部１２を介して板状枠体１１と接続状態となるブリッジ１４，２１からなる接続部がそれぞれ備えられている。
【００２２】
そして、このフルサイズのＩＣカード２０の板状枠体１１からブリッジ２１，１４を切断することで小型ＩＣカード２Ｂを取り出した場合には、取り出した小型ＩＣカード２Ｂには、図９に示すように、ブリッジ１４，２１を切断した後に所謂バリが生じ残存突起２１ａ，１４ａが残る場合がある。
【００２３】
本発明の第３実施形態に係る小型ＩＣカード装着部を有する機器では、特に残存突起２１ａのように、機器の小型ＩＣカード装着部に小型ＩＣカード２Ｂを装着する際に、スライド方向の側面に残存突起２１ａを有する小型ＩＣカード２Ｂに適応する小型ＩＣカード装着部３Ｃを備えている。
【００２４】
この小型ＩＣカード装着部３Ｃには、小型ＩＣカード装着部３Ｃに小型ＩＣカード２Ｂを装着する際に、小型ＩＣカード２Ｂをスライドさせるスライド部４と、このスライド部４でスライドさせた小型ＩＣカード２Ｂを突き当てることで所定の位置に小型ＩＣカード２Ｂをセットするための位置決め用突き当て部５が備えられている。
【００２５】
そして、スライド部４には、図１に示すのと同様に、小型ＩＣカード２Ｂをセットしたり、取り外すためにスライド部４で移動させた際に、スライド部４から小型ＩＣカード２Ｂが外れないように小型ＩＣカード２Ｂの両端付近を押さえるガイド部６が設けられ、小型ＩＣカード２Ａをスライド部４の各々の側面部４ａ，４ｂに沿って移動させて、装着または取り外しが行なえるようにしてある。
【００２６】
そして、このスライド部４の一方の側面部４ａには、図１０乃至図１２に示すように、前記接触防止用の貫通穴２２が形成されている。
この貫通穴２２は、小型ＩＣカード２Ｂを小型ＩＣカード装着部３Ｃに挿入させて移動させた場合でも、残存突起２１ａが側面部４ａに接触しないような切り込み長さ寸法及び縦幅寸法を有している。
【００２７】
したがって、図１０に示した状態から、小型ＩＣカード装着部３Ｃから小型ＩＣカード２Ｂを挿入させた場合でも、図１１に示すように、小型ＩＣカード２Ｂに有している残存突起２１ａが、接触防止用の貫通穴２２の隙間を通り側面部４ａと接触させないようにして、正しい位置にセットさせることが可能となる。
これにより、小型ＩＣカード装着部３Ｃの外部接続端子部７に対して、小型ＩＣカード２Ａの外部接続端子部１５が正確に接続できる。
【００２８】
【発明の効果】
以上説明したように、本発明の小型ＩＣカード装着部を有する機器は、装着する小型ＩＣカードに、板状枠体から小型ＩＣカードを取り外すときに生じた残存突起が残っていた場合でも、小型ＩＣカード装着部の内面とこの残存突起とが接触しないように接触防止用の凹部または貫通穴が小型ＩＣカード装着部内に形成されているので、小型ＩＣカードを正しい位置に正確にセットでき、外部接続端子同士を間違いなく接続状態とすることができるという効果がある。
特に、小型ＩＣカード装着部の位置決め用突き当て部に接触防止用の凹部または貫通穴が形成されることで、残存突起が小型ＩＣカードの前方に有する場合でもその影響を受けることなく小型ＩＣカードを正しい位置に正確にセットできるという効果がある。
また、小型ＩＣカード装着部が、スライド部の側面に形成されていることで、残存突起が小型ＩＣカードの挿入方向の側面に有する場合でもその影響を受けることなく小型ＩＣカードを正しい位置に正確にセットできるという効果がある。
【図面の簡単な説明】
【図１】本発明の第１実施形態に係る小型ＩＣカード装着部を有する機器の斜視図である。
【図２】本発明の第１実施形態に係る小型ＩＣカード装着部を有する機器に使用する小型ＩＣカードを備えたカードの平面図である。
【図３】図２のカードから取り外した小型ＩＣカードの平面図である。
【図４】本発明の第１実施形態に係る小型ＩＣカード装着部を有する機器の小型ＩＣカード装着部に小型ＩＣカードを装着する状態を説明する図である。
【図５】本発明の第１実施形態に係る小型ＩＣカード装着部を有する機器の小型ＩＣカード装着部に小型ＩＣカードを装着した状態を説明する図である。
【図６】本発明の第２実施形態に係る小型ＩＣカード装着部を有する機器の小型ＩＣカード装着部を説明する図である。
【図７】本発明の第２実施形態に係る小型ＩＣカード装着部を有する機器の小型ＩＣカード装着部に小型ＩＣカードを装着した状態を説明する図である。
【図８】本発明の第３実施形態に係る小型ＩＣカード装着部を有する機器に使用する小型ＩＣカードを備えたカードの平面図である。
【図９】図８のカードから取り外した小型ＩＣカードの平面図である。
【図１０】本発明の第３実施形態に係る小型ＩＣカード装着部を有する機器の小型ＩＣカード装着部に小型ＩＣカードを装着する状態を説明する図である。
【図１１】本発明の第３実施形態に係る小型ＩＣカード装着部を有する機器の小型ＩＣカード装着部に小型ＩＣカードを装着した状態を説明する図である。
【図１２】本発明の第３実施形態に係る小型ＩＣカード装着部を有する機器の小型ＩＣカード装着部に小型ＩＣカードを装着する状態を説明する側面図である。
【符号の説明】
１　携帯電話機
２Ａ，２Ｂ　小型ＩＣカード
３Ａ，３Ｂ，３Ｃ　小型ＩＣカード装着部
４　スライド部
４ａ，４ｂ　側面部
５　位置決め用突き当て部
６　ガイド部
７，１５　外部接続端子部
８，２２　貫通穴
１０　ＩＣカード
１１　板状枠体
１２　スリット部
１３，１４，２１　ブリッジ
１３ａ，１４ａ，２１ａ　残存突起
１６　凹部
【図１】
2004013469.tif 000003
【図２】
2004013469.tif 000004
【図３】
2004013469.tif 000005
【図４】
2004013469.tif 000006
【図５】
2004013469.tif 000007
【図６】
2004013469.tif 000008
【図７】
2004013469.tif 000009
【図８】
2004013469.tif 000010
【図９】
2004013469.tif 000011
【図１０】
2004013469.tif 000012
【図１１】
2004013469.tif 000013
【図１２】
2004013469.tif 000014